(57)【要約】【課題】より簡易に動画性能を向上することができる液晶表示装置を提供する。【解決手段】光源１と、映像データに基づいて光源１が出力する光の透過率を変化させることにより映像を表示する液晶表示部２と、を備える液晶表示装置１００に、光源１と液晶表示部２との間の所定位置に固定して備えられ、光の透過を遮蔽する遮蔽部材３１により複数のスリットＳが形成された第１シャッタ部３と、光源１と液晶表示部２との間に上下動可能に備えられ、光の透過を遮蔽する遮蔽部材４１により複数のスリットＳが形成された第２シャッタ部４と、第２シャッタ部４を上下に駆動する駆動部６と、映像データに含まれる垂直同期信号に同期して第２シャッタ部４を上下に駆動するように駆動部６を制御する制御部７と、を備え、スリットＳを、第２シャッタ部４の上下動に伴って、光源１が出力する光の液晶表示部２への入射・非入射が交互に切り換えられるように配置した。【選択図】図１
2008083393.tif 000002
【特許請求の範囲】
【請求項１】
光源と、映像データに基づいて前記光源が出力する光の透過率を変化させることにより映像を表示する液晶表示部と、を備える液晶表示装置において、
前記光源と前記液晶表示部との間の所定位置に固定して備えられ、光の透過を遮蔽する遮蔽部材により複数のスリットが形成された第１シャッタ部と、
前記光源と前記液晶表示部との間に上下動可能に備えられ、光の透過を遮蔽する遮蔽部材により複数のスリットが形成された第２シャッタ部と、
前記第２シャッタ部を上下に駆動する駆動部と、
映像データに含まれる垂直同期信号に同期して前記第２シャッタ部を上下に駆動するように前記駆動部を制御する駆動制御手段と、
前記液晶表示部と前記第１シャッタ部及び前記第２シャッタ部との間に、前記第１シャッタ部及び前記第２シャッタ部のスリットを通過した光を拡散させて前記液晶表示部に入射させる拡散部と、
前記光源と前記第１シャッタ部との間に、前記光源が出力する光を集光して前記第１シャッタ部のスリットに入射させる集光部と、
を備え、
前記第１シャッタ部及び前記第２シャッタ部に備えられるスリットが、前記第２シャッタ部の上下動に伴って、前記光源が出力する光の前記液晶表示部への入射・非入射が交互に切り換えられるように配置されることを特徴とする液晶表示装置。
【請求項２】
光源と、映像データに基づいて前記光源が出力する光の透過率を変化させることにより映像を表示する液晶表示部と、を備える液晶表示装置において、
前記光源と前記液晶表示部との間の所定位置に固定して備えられ、光の透過を遮蔽する遮蔽部材により複数のスリットが形成された第１シャッタ部と、
前記光源と前記液晶表示部との間に上下動可能に備えられ、光の透過を遮蔽する遮蔽部材により複数のスリットが形成された第２シャッタ部と、
前記第２シャッタ部を上下に駆動する駆動部と、
映像データに含まれる垂直同期信号に同期して前記第２シャッタ部を上下に駆動するように前記駆動部を制御する駆動制御手段と、
を備え、
前記第１シャッタ部及び前記第２シャッタ部に備えられるスリットが、前記第２シャッタ部の上下動に伴って、前記光源が出力する光の前記液晶表示部への入射・非入射が交互に切り換えられるように配置されることを特徴とする液晶表示装置。
【請求項３】
前記液晶表示部と前記第１シャッタ部及び前記第２シャッタ部との間に、前記第１シャッタ部及び前記第２シャッタ部のスリットを通過した光を拡散させて前記液晶表示部に入射させる拡散部を備えることを特徴とする請求項２に記載の液晶表示装置。
【請求項４】
前記光源と前記第１シャッタ部との間に、前記光源が出力する光を集光して前記第１シャッタ部のスリットに入射させる集光部を備えることを特徴とする２又は３に記載の液晶表示装置。
【請求項５】
前記第１シャッタ部及び前記第２シャッタ部に備えられるスリットが、前記第２シャッタ部の上下動に伴って、前記光源が出力する光が前記液晶表示部の上半分と下半分とに交互に入射するように配置されることを特徴とする請求項２〜４の何れか一項に記載の液晶表示装置。
【発明の詳細な説明】
【技術分野】
【０００１】
本発明は、液晶表示装置に関する。
【背景技術】
【０００２】
従来、液晶パネル等の液晶表示装置では、動画性能がよくないという問題点がある。そこで、バックライトを複数領域に分けて、各領域毎の点灯時期及び点灯時間を、映像データ変換後の液晶応答に基づく表示階調が全表示階調の平均値となるような値に制御したり、各領域毎の点灯時期及び点灯時間を、映像データ変換後の液晶応答に基づく表示階調が各領域において表示される表示階調の画素数に従って重みづけされた平均値となるような値に制御することで、動画表示における残像や平均化によるボケを低減する液晶表示装置が知られている（例えば、特許文献１）。
また、ユーザが動画表示におけるボケを知覚した場合に、黒表示信号を画素電極に供給するための期間である黒挿入期間が１フレーム期間内に占める割合を示す黒挿入率を指示することにより、動画表示におけるボケを低減させる液晶表示装置も知られている（例えば、特許文献２）。
また、偶数ラインの画素に画像信号を書き込む場合には、奇数ラインの画素に消去信号を書き込み、奇数ラインの画素に画像信号を書き込む場合には、偶数ラインの画素に消去信号を書き込むことにより、各画素の光学応答時間を前フレームの表示画像に依らず均一化することにより、動画表示におけるボケを低減させる液晶表示装置も知られている（特許文献３）。
【特許文献１】特開２００５−１２２１２１号公報
【特許文献２】特開２００３−２９５１５６号公報
【特許文献３】特開２００１−３１１９３２号公報
【発明の開示】
【発明が解決しようとする課題】
【０００３】
しかしながら、特許文献１に記載の発明のように、バックライトの点灯時期及び点灯時間を制御したとしても、実際、液晶表示装置においてよく使われているＣＣＦＬ（Cold  Cathode  Fluorescent  Lamp）では、消灯制御されても、完全に消灯するまでに時間がかかるため、動画表示における残像やボケを十分に低減することができない。
また、特許文献２又は３に記載の発明のように、黒挿入を行う場合には、別途黒挿入回路を導入する必要があるが、当該黒挿入回路は設計に工数がかかるとともに、動作検証に多大な時間を要する。また、液晶そのものの応答性の問題により理想的な黒挿入を回路変更のみで行うことは困難である。
【０００４】
本発明の課題は、より簡易に動画性能を向上させることができる液晶表示装置を提供することである。
【課題を解決するための手段】
【０００５】
請求項１に記載の発明は、光源と、映像データに基づいて前記光源が出力する光の透過率を変化させることにより映像を表示する液晶表示部と、を備える液晶表示装置において、
前記光源と前記液晶表示部との間の所定位置に固定して備えられ、光の透過を遮蔽する遮蔽部材により複数のスリットが形成された第１シャッタ部と、
前記光源と前記液晶表示部との間に上下動可能に備えられ、光の透過を遮蔽する遮蔽部材により複数のスリットが形成された第２シャッタ部と、
前記第２シャッタ部を上下に駆動する駆動部と、
映像データに含まれる垂直同期信号に同期して前記第２シャッタ部を上下に駆動するように前記駆動部を制御する駆動制御手段と、
前記液晶表示部と前記第１シャッタ部及び前記第２シャッタ部との間に、前記第１シャッタ部及び前記第２シャッタ部のスリットを通過した光を拡散させて前記液晶表示部に入射させる拡散部と、
前記光源と前記第１シャッタ部との間に、前記光源が出力する光を集光して前記第１シャッタ部のスリットに入射させる集光部と、
を備え、
前記第１シャッタ部及び前記第２シャッタ部に備えられるスリットが、前記第２シャッタ部の上下動に伴って、前記光源が出力する光の前記液晶表示部への入射・非入射が交互に切り換えられるように配置されることを特徴としている。
【０００６】
請求項２に記載の発明は、光源と、映像データに基づいて前記光源が出力する光の透過率を変化させることにより映像を表示する液晶表示部と、を備える液晶表示装置において、
前記光源と前記液晶表示部との間の所定位置に固定して備えられ、光の透過を遮蔽する遮蔽部材により複数のスリットが形成された第１シャッタ部と、
前記光源と前記液晶表示部との間に上下動可能に備えられ、光の透過を遮蔽する遮蔽部材により複数のスリットが形成された第２シャッタ部と、
前記第２シャッタ部を上下に駆動する駆動部と、
映像データに含まれる垂直同期信号に同期して前記第２シャッタ部を上下に駆動するように前記駆動部を制御する駆動制御手段と、
を備え、前記第１シャッタ部及び前記第２シャッタ部に備えられるスリットが、前記第２シャッタ部の上下動に伴って、前記光源が出力する光の前記液晶表示部への入射・非入射が交互に切り換えられるように配置されることを特徴としている。
【０００７】
請求項３に記載の発明は、請求項２に記載の液晶表示装置において、
前記液晶表示部と前記第１シャッタ部及び前記第２シャッタ部との間に、前記第１シャッタ部及び前記第２シャッタ部のスリットを通過した光を拡散して前記液晶表示部に入射させる拡散部を備えることを特徴としている。
【０００８】
請求項４に記載の発明は、請求項２又は３に記載の液晶表示装置において、
前記光源と前記第１シャッタ部との間に、前記光源が出力する光を集光して前記第１シャッタ部のスリットに入射させる集光部を備えることを特徴としている。
【０００９】
請求項５に記載の発明は、請求項２〜４の何れか一項に記載の液晶表示装置において、
前記第１シャッタ部及び前記第２シャッタ部に備えられるスリットが、前記第２シャッタ部の上下動に伴って、前記光源が出力する光が前記液晶表示部の上半分と下半分とに交互に入射するように配置されることを特徴としている。
【発明の効果】
【００１０】
請求項１に記載の発明によれば、光の透過を遮蔽する遮蔽部材により複数のスリットが形成された第１シャッタ部が、光源と液晶表示部との間の所定位置に固定して備えられ、光の透過を遮蔽する遮蔽部材により複数のスリットが形成された第２シャッタ部が、光源と液晶表示部との間に上下動可能に備えられ、駆動部により、第２シャッタ部が上下に駆動され、駆動制御手段により、映像データに含まれる垂直同期信号に同期して第２シャッタ部が上下に駆動されるように駆動部が制御され、第１シャッタ部及び第２シャッタ部に備えられるスリットが、第２シャッタ部の上下動に伴って、光源が出力する光の液晶表示部への入射・非入射が交互に切り換えられるように配置されるので、光源から出力される光が液晶表示部に入射されなくなって黒挿入を行うことができ、光源の消灯制御や黒挿入回路を設計する場合に比べて、容易に黒挿入することができることとなって、より簡易に動画性能を向上させることができる。
【００１１】
また、液晶表示部と第１シャッタ部及び第２シャッタ部との間に備えられた拡散部により、第１シャッタ部及び第２シャッタ部のスリットを通過した光が拡散して液晶表示部に入射されるので、スリットを通過した光の輝度分布を均一にすることができる。
【００１２】
また、光源と第１シャッタ部との間に備えられた集光部により、光源が出力する光が集光されて第１シャッタ部のスリットに入射されるので、光源から出力される光の光量が第１シャッタ部の遮蔽部材により減ってしまうのを防ぐことができる。
【００１３】
請求項２に記載の発明によれば、光の透過を遮蔽する遮蔽部材により複数のスリットが形成された第１シャッタ部が、光源と液晶表示部との間の所定位置に固定して備えられ、光の透過を遮蔽する遮蔽部材により複数のスリットが形成された第２シャッタ部が、光源と液晶表示部との間に上下動可能に備えられ、駆動部により、第２シャッタ部が上下に駆動され、駆動制御手段により、映像データに含まれる垂直同期信号に同期して第２シャッタ部が上下に駆動されるように駆動部が制御され、第１シャッタ部及び第２シャッタ部に備えられるスリットが、第２シャッタ部の上下動に伴って、光源が出力する光の液晶表示部への入射・非入射が交互に切り換えられるように配置されるので、光源から出力される光が液晶表示部に入射されなくなって黒挿入を行うことができ、光源の消灯制御や黒挿入回路を設計する場合に比べて、容易に黒挿入することができることとなって、より簡易に動画性能を向上することができる。
【００１４】
請求項３に記載の発明によれば、請求項２に記載の発明と同様の効果が得られるのは勿論のこと、特に、液晶表示部と第１シャッタ部及び第２シャッタ部との間に備えられた拡散部により、第１シャッタ部及び第２シャッタ部のスリットを通過した光が拡散して液晶表示部に入射されるので、スリットを通過した光の輝度分布を均一にすることができる。
【００１５】
請求項４に記載の発明によれば、請求項２又は３に記載の発明と同様の効果が得られるのは勿論のこと、特に、光源と第１シャッタ部との間に備えられた集光部により、光源が出力する光が集光されて第１シャッタ部のスリットに入射されるので、光源から出力される光の光量が第１シャッタ部の遮蔽部材により減ってしまうのを防ぐことができる。
【００１６】
請求項５に記載の発明によれば、請求項２〜４の何れか一項に記載の発明と同様の効果が得られるのは勿論のこと、特に、第１シャッタ部及び第２シャッタ部に備えられるスリットが、第２シャッタ部の上下動に伴って、光源が出力する光が液晶表示部の上半分と下半分とに交互に入射するように配置されるので、液晶表示装置の画面の上下に交互に黒挿入をすることができ、より複雑な黒挿入制御を行うことができる。
【発明を実施するための最良の形態】
【００１７】
以下、図を参照して、本発明に係る液晶表示装置を実施するための最良の形態を詳細に説明する。
【００１８】
（第１の実施形態）
まず、本発明の第１の実施形態に係る液晶表示装置１００の構成について図１を参照しながら説明する。図１（ａ）に、本実施形態に係る液晶表示装置１００の側面図を示し、図１（ｂ）に、本実施形態に係る第１シャッタ部３（後述）の背面図を示し、図１（ｃ）に、本実施形態に係る第２シャッタ部４（後述）の背面図を示す。なお、図１において、スリットＳに相当する部分をハッチングにより示す。以下、図２〜５においても同様である。
【００１９】
本実施形態に係る液晶表示装置１００は、例えば、図１に示すように、光源１と、映像データに基づく映像を表示する液晶表示部２と、光源１と液晶表示部２との間の所定位置に固定して備えられ、光の透過を遮蔽する遮蔽部材３１により複数のスリットＳが形成された第１シャッタ部３と、第１シャッタ部３と液晶表示部２との間に上下動可能に備えられ、光の透過を遮蔽する遮蔽部材４１により複数のスリットＳが形成された第２シャッタ部４と、第２シャッタ部４と液晶表示部２との間に備えられる拡散部５と、第２シャッタ部４を上下に駆動する駆動部６と、当該駆動部６を制御する制御部７等を備えて構成されている。
【００２０】
光源１は、例えば、ＣＣＦＬ（Cold  Cathode  Fluorescent  Lamp）等であり、液晶表示部２の表示面に対して平行に、当該表示面の上から下にかけて所定本数備えられている。
【００２１】
液晶表示部２は、例えば、２枚のガラス板（図示省略）の間に液晶封入された画素（図示省略）がマトリックス状に配置され、映像データに基づいて、各画素に対応した駆動回路（図示省略）を駆動させて光源１が出力する光の透過率を変化させることにより、映像を表示する。
【００２２】
第１シャッタ部３は、例えば、液晶表示部２の表示面と略同一形状の板材であって、当該表示面の上から下にかけて、光の透過を遮蔽する遮蔽部材３１により複数のスリットＳが形成されている。より具体的には、例えば、図１（ｂ）に示すように、第１シャッタ部３には、同一幅のスリットＳが、当該スリットＳの幅と同一の長さだけ離間して配置するように、形成されている。
また、第１シャッタ部３の下部には、略矩形形状の切欠部３Ａが形成されている。
【００２３】
第２シャッタ部４は、例えば、第１シャッタ部３と同様に、液晶表示部２の表示面と略同一形状の板材であって、当該表示面の上から下にかけて、光の透過を遮蔽する遮蔽部材４１により複数のスリットＳが形成されている。また、例えば、図１（ｃ）に示すように、第２シャッタ部４には、第１シャッタ部３のスリットＳと同一幅のスリットＳが、当該スリットＳの幅と同一の長さだけ離間して配置するように、設けられている。
また、第２シャッタ部４の下部の第１シャッタ部３の切欠部３Ａに対応する位置には、略半球状に盛り上がるように形成された当接部４Ａが形成されている。
当接部４Ａをこのような形状にしたのは、当接部４Ａとカム６とが滑らかに当接することができるようにするためである。
【００２４】
拡散部５は、例えば、液晶表示部２の表示面と略同一形状の拡散板や拡散フィルム等を備え、第１シャッタ部３及び第２シャッタ部４のスリットＳを通過した光を液晶表示部２に拡散させて入射させる。
【００２５】
駆動部６は、例えば、ステッピングモータ（図示省略），当該ステッピングモータにより回動する回転軸６Ａ，当該回転軸６Ａの回転により回転するカム６Ｂ等を備えて構成されている。そして、例えば、図２（ｂ），（ｃ）に示すように、カム６Ｂの回転により、第２シャッタ部４が上下に駆動されるようになっている。より具体的には、カム６Ｂは、側面視において略楕円状に形成されており、当該カム６Ｂが回転することにより、第２シャッタ部４の当接部４Ａに当接しながら当該第２シャッタ部４を上に押し上げた後、当該カム６Ｂがさらに回転することにより、第２シャッタ部４が下降するようになっている。
なお、カム６Ｂが回転されても、第１シャッタ部３には切欠部３Ａが形成されているため、当該カム６Ｂが第１シャッタ部３に当接しないようになっている。
【００２６】
制御部７は、例えば、ＣＰＵ（Central  Processing  Unit）（図示省略），ＲＡＭ（Random  Access  Memory）（図示省略），記憶部（図示省略）等を備えて構成される。
そして、ＣＰＵが、例えば、記憶部に格納された処理プログラム等を読み出して、ＲＡＭに展開して実行することにより、制御部７全体の制御が行われるようになっている。
具体的には、制御部７は、映像データに含まれる垂直同期信号に同期して、第２シャッタ部４が上下に駆動するように駆動部６を制御し、駆動制御手段として機能する。
【００２７】
上述のような構成の液晶表示装置１００における第２シャッタ部４の上下動について、図１を参照しながら説明する。
まず、図２（ａ），（ｂ）に示すように、カム６Ｂが第２シャッタ部４を押し上げていない状態では、第１シャッタ部３のスリットＳと第２シャッタ部４のスリットＳとの位置は対応する位置にあり、光源１から出力され、第１シャッタ部３のスリットＳを通過した光は、当該第１シャッタ部３のスリットＳと対応する位置にある第２シャッタ部４のスリットＳを通過するようになっている。
【００２８】
そして、図２（ｃ）に示すように、カム６Ｂが回転することにより、当該第２シャッタ部４が押し上げられて、第２シャッタ部４のスリットＳが第１シャッタ部３のスリットＳとスリットＳとの間に位置することとなると、光源１から出力され、第１シャッタ部３のスリットＳを通過した光は、第２シャッタ部４のスリットＳとスリットＳとの間の遮蔽部材４１により遮られるようになる。
【００２９】
以上に説明した第１の実施形態に係る液晶表示装置１００によれば、光の透過を遮蔽する遮蔽部材３１により複数のスリットＳが形成された第１シャッタ部３が、光源１と液晶表示部２との間の所定位置に固定して備えられ、光の透過を遮蔽する遮蔽部材４１により複数のスリットＳが形成された第２シャッタ部４が、光源１と液晶表示部２との間に上下動可能に備えられ、駆動部６により、第２シャッタ部４が上下に駆動され、制御部７により、映像データに含まれる垂直同期信号に同期して第２シャッタ部４が上下に駆動されるように駆動部６が制御され、第１シャッタ部及び第２シャッタ部に備えられるスリットが、第２シャッタ部の上下動に伴って、光源が出力する光の液晶表示部への入射・非入射が交互に切り換えられるように配置されるので、光源１から出力される光が液晶表示部２に入射されなくなって黒挿入を行うことができ、光源１の消灯制御や黒挿入回路を設計する場合に比べて、容易に黒挿入することができることとなって、より簡易に動画性能を向上させることができる。
【００３０】
また、液晶表示部２と第１シャッタ部３及び第２シャッタ部４との間に備えられた拡散部５により、第１シャッタ部３及び第２シャッタ部４のスリットＳを通過した光が拡散して液晶表示部２に入射されるので、スリットＳを通過した光の輝度分布を均一にすることができる。
【００３１】
（第２の実施形態）
本発明の第２の実施形態に係る液晶表示装置２００は、例えば、図３〜図５に示すように、第１シャッタ部３０，第２シャッタ部４０，駆動部６００の構成のみが、第１の実施形態に係る液晶表示装置１００と異なるので、同一の構成については、同一の符号を付すとともに、その説明を省略する。
また、図３（ａ），図４（ａ），図５（ａ）に、本実施形態に係る液晶表示装置２００の側面図を示し、図３（ｂ），図４（ｂ），図５（ｂ）に、本実施形態に係る第１シャッタ部３０の背面図を示し、図３（ｃ），図４（ｃ），図５（ｃ）に、本実施形態に係る第２シャッタ部４０（後述）の背面図を示す。
また、図３は、カム６０Ｂが第２シャッタ部４０を途中まで押し上げたときの液晶表示部２００，第１シャッタ部３０，第２シャッタ部４０を示し、図４は、カム６０Ｂが第２シャッタ部４０を押し上げているときの液晶表示部２００，第１シャッタ部３０，第２シャッタ部４０を示し、図５は、カム６０Ｂが第２シャッタ部４０を押し上げていないときの液晶表示部２００，第１シャッタ部３０，第２シャッタ部４０を示す。
【００３２】
第１シャッタ部３０は、例えば、液晶表示部２の表示面と略同一形状の板材であって、当該表示面の上から下にかけて、光の透過を遮蔽する遮蔽部材３１１により複数のスリットＳが形成されている。より具体的には、例えば、図３（ｂ）に示すように、第１シャッタ部３０には、同一幅のスリットＳが、当該スリットＳの幅と２倍の長さだけ離間して配置するように形成されるとともに、当該第１シャッタ部３０の中央には、他のスリットＳの幅の２倍の幅のスリットＳが形成され、当該中央のスリットＳを挟んで上側と下側のスリットＳの配置が上下対称となっている。
また、第１シャッタ部３０の下部には、略矩形形状の切欠部３０Ａが形成されている。
【００３３】
第２シャッタ部４０は、例えば、液晶表示部２の表示面と略同一形状の板材であって、当該表示面の上から下にかけて、光の透過を遮蔽する遮蔽部材４１１により複数のスリットＳが形成されている。また、例えば、図３（ｃ）に示すように、第２シャッタ部４０には、第１シャッタ部３０のスリットＳの幅の２倍の幅のスリットＳが、第１シャッタ部３０のスリットＳの幅と同一の長さだけ離間して配置するように形成されている。さらに、第２シャッタ部４０の中央のスリットＳは、第１シャッタ部３０の中央のスリットＳと対応する位置に配置されており、第２シャッタ部４０の当該中央のスリットＳに対して上側のスリットＳは、当該上側のスリットＳの上端が第１シャッタ部３０の中央のスリットＳの上側のスリットＳの上端に対応するように形成されており、第２シャッタ部４０の当該中央のスリットＳに対して下側のスリットＳは、当該下側のスリットＳの下端が第１シャッタ部３０の中央のスリットＳの下側のスリットＳの下端に対応するように形成されている。
また、第２シャッタ部４０の下部の第１シャッタ部３０の切欠部３０Ａに対応する位置には、略半球状に盛り上がるように形成された当接部４０Ａが形成されている。
【００３４】
駆動部６００は、例えば、ステッピングモータ（図示省略），当該ステッピングモータにより回動する回転軸６０Ａ，当該回転軸６０Ａの回転により回転するカム６０Ｂ等を備えて構成されている。そして、例えば、図３〜図５に示すように、カム６０Ｂの回転により、第２シャッタ部４０が上下に駆動されるようになっている。より具体的には、カム６０Ｂは、側面視において、軸長が異なる楕円の半円が合わさった略ドーム形状に形成されており、当該カム６０Ｂが反時計回りに回転することにより、第２シャッタ部４０の当接部４０Ａに当接しながら当該第２シャッタ部４０を上に押し上げた後、当該カム６０Ｂがさらに回転することにより、第２シャッタ部４０が下降するようになっている。
なお、カム６０Ｂが回転されても、第１シャッタ部３０には切欠部３０Ａが形成されているため、当該カム６０Ｂが第１シャッタ部３０に当接しないようになっている。
【００３５】
上述のような構成の液晶表示装置２００における第２シャッタ部４０の上下動について、図３〜図５を参照しながら説明する。
まず、図３に示すように、カム６０Ｂが第２シャッタ部４０を途中まで押し上げている状態では、第１シャッタ部３０のスリットＳと第２シャッタ部４０のスリットＳは、液晶表示部２側から見て、互いに重なる位置にある。そして、この状態では、光源１から出力されて第１シャッタ部３０及び第２シャッタ部４０に入射する光は、第１シャッタ部３０及び第２シャッタ部４０のスリットＳにより透過されて液晶表示部２に入射するようになっている。
【００３６】
そして、図４に示すように、カム６０Ｂが反時計回りに回転して第２シャッタ部４０が押し上げられると、第２シャッタ部４０の上側のスリットＳの下半分が第１シャッタ部３０の上側のスリットＳと対応する位置となり、第２シャッタ部４０の下側のスリットＳと第１シャッタ部３０の下側の遮蔽部材３１１とが対応する位置となり、第２シャッタ部４０の中央のスリットＳの下半分と第１シャッタ部３０の中央のスリットＳの上半分とが対応する位置となる。
そして、この状態では、光源１から出力されて第１シャッタ部３０の下半分に入射して第１シャッタ部３０の下半分のスリットＳを通過した光は、第２シャッタ部４０の下半分の遮蔽部材４１１により遮蔽されて液晶表示部２に入射しないようになっている。
また、光源１から出力されて第１シャッタ部３０及び第２シャッタ部４０の上半分に入射する光は、第１シャッタ部３０及び第２シャッタ部４０の上半分のスリットＳにより透過されて液晶表示部２に入射するようになっている。
【００３７】
さらに、図５に示すように、カム６０Ｂが反時計回りに回転して第２シャッタ部４０が押し上げらていない状態となると、第２シャッタ部４０の上側のスリットＳと第１シャッタ部３０の上側の遮蔽部材３１１とが対応する位置となり、第２シャッタ部４０の下側のスリットＳの上半分が第１シャッタ部３０の下側のスリットＳと対応する位置となり、第２シャッタ部４０の中央のスリットＳの上半分と第１シャッタ部３０の中央のスリットＳの下半分とが対応する位置となる。
そして、この状態では、光源１から出力されて第１シャッタ部３０の上半分に入射して第１シャッタ部３０の上半分のスリットＳを通過した光は、第２シャッタ部４０の上半分の遮蔽部材４１１により遮蔽されて液晶表示部２に入射しないようになっている。
また、光源１から出力されて第１シャッタ部３０及び第２シャッタ部４０の下半分に入射する光は、第１シャッタ部３０及び第２シャッタ部４０の下半分のスリットＳにより透過されて液晶表示部２に入射するようになっている。
【００３８】
以上に説明した第２の実施形態に係る液晶表示装置２００によれば、第１の実施形態に係る液晶表示装置１００と同様の効果が得られるのは勿論のこと、特に、第１シャッタ部３０及び第２シャッタ部４０に備えられるスリットＳが、第２シャッタ部４０の上下動に伴って、光源１が出力する光が液晶表示部２の上半分と下半分とに交互に入射するように配置されるので、液晶表示装置２００の画面の上下に交互に黒挿入をすることができ、より複雑な黒挿入制御を行うことができる。
【００３９】
（第３の実施形態）
本発明の第２の実施形態に係る液晶表示装置３００は、例えば、図６に示すように、集光部８を備える構成のみが、第１の実施形態に係る液晶表示装置１００と異なるので、同一の構成については、同一の符号を付すとともに、その説明を省略する。
【００４０】
集光部８は、例えば、液晶表示部２の表示面と略同一形状の集光板や集光フィルム等を備え、光源１と第１シャッタ部３との間に備えられ、光源１から出力された光を集光して第１シャッタ部３のスリットＳに入射させる。
【００４１】
以上に説明した第３の実施形態に係る液晶表示装置３００によれば、第１の実施形態に係る液晶表示装置１００と同様の効果が得られるのは勿論のこと、特に、光源１と第１シャッタ部３との間に備えられた集光部８により、光源１が出力する光が集光されて第１シャッタ部３のスリットＳに入射されるので、光源１から出力される光の光量が第１シャッタ部３の遮蔽部材３１により減ってしまうのを防ぐことができる。
【００４２】
なお、第１シャッタ部３（３０）及び第２シャッタ部４（４０）に形成されるスリットＳの配置は、上記実施例に限られるものではない。
また、第１シャッタ部３（３０）及び第２シャッタ部４（４０）は、それぞれ、スリットＳの配置の異なる第１シャッタ部３（３０）及び第２シャッタ部４（４０）に交換可能に、備えられてもよい。
また、第２シャッタ部４（４０）は、例えば、上半分と下半分とに分割されていてもよく、第２シャッタ部４（４０）の上半分と下半分とに別々に駆動部６が備えられて、第２シャッタ部４（４０）の上半分及び下半分の上下動が別々に制御されることとしてもよい。
また、カム６Ｂの形状は、実施例に限られるものではなく、黒挿入率に合わせて形状を変更してもよい。
【図面の簡単な説明】
【００４３】
【図１】本発明の第１の実施形態に係る液晶表示装置の一例を示す側面図（図１（ａ））、本発明の第１の実施形態に係る第１シャッタ部の一例を示す背面図（図１（ｂ））、本発明の第１の実施形態に係る第２シャッタ部の一例を示す背面図（図１（ｃ））である。
【図２】本発明の第１の実施形態に係る第１シャッタ部の一例を示す背面図（図２（ａ））、本発明の第１の実施形態に係るカムにより押し上げられていない状態の第２シャッタ部の一例を示す背面図（図２（ｂ））、本発明の第１の実施形態に係るカムにより押し上げられた状態の第２シャッタ部の一例を示す背面図（図２（ｃ））である。
【図３】本発明の第２の実施形態に係るカムにより第２シャッタ部が途中まで押し上げられたときの液晶表示部の側面図（図３（ａ））、第１シャッタ部の背面図（図３（ｂ））、第２シャッタ部の背面図（図３（ｃ））である。
【図４】本発明の第２の実施形態に係るカムにより第２シャッタ部が押し上げられているときの液晶表示部の側面図（図４（ａ））、第１シャッタ部の背面図（図４（ｂ））、第２シャッタ部の背面図（図４（ｃ））である。
【図５】本発明の第２の実施形態に係るカムにより第２シャッタ部が押し上げられていないときの液晶表示部の側面図（図５（ａ））、第１シャッタ部の背面図（図５（ｂ））、第２シャッタ部の背面図（図５（ｃ））である。
【図６】本発明の第３の実施形態に係る液晶表示装置の一例を示す側面図である。
【符号の説明】
【００４４】
１  光源
２  液晶表示部
３，３０  第１シャッタ部
３１，３１１  遮蔽部材
４，４０  第２シャッタ部
４１，４１１  遮蔽部材
５  拡散部
６，６０  駆動部
７  制御部（駆動制御手段）
８  集光部
１００，２００，３００  液晶表示装置
Ｓ  スリット
【図１】
2008083393.tif 000003
【図２】
2008083393.tif 000004
【図３】
2008083393.tif 000005
【図４】
2008083393.tif 000006
【図５】
2008083393.tif 000007
【図６】
2008083393.tif 000008